(57)【要約】
【目的】  老若を問わず手軽に楽しめる新規な娯楽用具、もしくは、語意知識の吸収及び活用が計れ、かつ作歌，作句趣味等をも楽しめる簡易な娯楽用具または装飾物を提供することである。
【構成】  五十音索引表（字母表）の全仮名文字に「う゛」の札と、配布された者が任意の文字として設定又は代替できるジョーカー的機能を有する札一枚を加えた総数５３枚、其処から「う゛」の札またはジョーカー的機能を有する札一枚を省いた５２枚、五十音索引表（字母表）の全仮名文字を各々個別に表記した５１枚、重複する（う，え，い）の何れか１又は２枚を省いた５０枚、４９枚、異なる仮名文字のみの４８枚、異なる仮名文字のみから「ん」を除いた４７枚、現代仮名使いのみ使用の４６枚、異なる発音（お≒を）の４５枚、から成る一群の札（カード）を少なくとも一組含む札群で構成されるカード式闘歌句具。
【効果】  人意情景表現其のものを、他の競技者と相互に即事または即時的に構築し、評価や勝敗は参画者や競技者の思議や諮議で、判定で、する事ができる娯楽を提供できる。又、古歌句の一部を継受しつつ一組のみならず、幾組もの競技者の作歌句変遷を楽しむ事ができる。更に、老若を問わず語意知識の吸収で弼成活用が計れ、かつ柔軟機敏な作句，作歌趣味を日常的に身近に楽しみ向上させる事ができる。加えて、作句，作歌の内容のみならず表現形態にも各種の異趣味を持たせ芸術性を付与し展開することができる。日本の古典文化を世界により広め廓大できる契機をもたらし得る。
【選択図】        図１
0003101376.tif 000002
【実用新案登録請求の範囲】
【請求項１】
五十音索引表（字母表）の全仮名文字を各々個別に表記した５１枚、其の内の重複する（う，え，い）の何れか１枚を省いた５０枚、又は２枚を省いた４９枚、異なる仮名文字のみの４８枚、異なる仮名文字のみから「ん」を除いた４７枚、現代仮名使いのみ使用の４６枚、（お≒を）として何れか一つを含み異なる発音の４５枚、から成るカード（札）の一組を、少なくとも一組含むカード（札）群で構成されるカード式闘歌句具。
【請求項２】
「う゛」の文字札、又は、配布された者が任意の文字として設定又は代替できるジョーカー的機能を有する札、の何れか一枚を加えて成る請求項１記載のカード式闘句歌具。
【請求項３】
五十音索引表（字母表）の全仮名文字に「う゛」の札一枚と、配布された者が任意の文字として設定又は代替できるジョーカー的機能を有する札一枚を加えて総数５３枚とし、一般のトランプ符合と併記して成るトランプ兼用あるいは併用可能なカード式闘歌句具。
【請求項４】
俳句や川柳は（５，７，５）の３組、短歌は（５，７，５）の２組と（７，７）の１組、甚句は（７，７，７，５）の２組、の群または細小群として構成可能な形で配付または配布して、夫々の歌句構成創作を楽しむ手順方法を記載し付加して成る請求項１、請求項２．請求項３のカード式闘歌句具。
【考案の詳細な説明】
【考案の詳細な説明】
【産業上の利用分野】
【０００１】  本考案は各人の感懐や情景を俳句，川柳，甚句，短歌風表現にして競い合う娯楽用具、もしくは知的能力や語い力、又は表現における柔軟性を培う語学用補助器具の構成形態に関する。
【背景技術】
【０００２】  従来の娯楽用具としては、カルタ、花札、囲碁、将棋、トランプ、麻雀等、個人又は幾人かで楽しむ物、此れらをゲームソフト化した物などが在り、知的能力や語学能力、柔軟性を培う補助具としては、幼児用仮名文字表記板組（ブロック群）や各種学習テキストあるいはコンピュータで活用する教育ソフトウェァシステム等が有る。
【考案が解決しようとする課題】
【０００３】  従来の娯楽器具では、所定の競技規則で取得した数の多さや地の広さ、特定物を手に入れる手順の変化や時間の先後または多少を、所持知識や技術、熟練度の巧拙で競うのが一般的であり、人意情景表現其のものを競い合う闘歌句用娯楽用具はほとんど見られない。知的育成補助器具においては、設定（固定化）されたパターンの繰り返しによる記憶、上達が主体であり、難易度に急激、多大な変化を付けないのが普通で、即事または即時的に他からの影響を受けることは避けるのが一般的である。又、幼児用仮名文字ブロックは成人向きとしては使い辛い。
【０００４】  本考案は従来品とは異なる趣向や変化を利用者、競技者に持たらそうとするもので、人意情景表現其のものを他の競技者と相互に即事または即時的に構築し、評価や勝敗は参画者や競技者の思議や諮議で、判定で、することができる娯楽用具を提供する事を目的としている。本考案では日本文化の基礎である仮名文字と歌句形態とを巧みに用い、老若を問わず国語知識の吸収及び活用が計れ、かつ趣味、娯楽としても楽しめる用具，器具を提供することが其の狙いである。特に其の構成あるいは使用方法に多様な変化を持たせる事が主たる狙いである。
【課題を解決するための手段】
【０００５】  上記目的を達成するために、五十音索引表（字母表）の全仮名文字を各々個別に表記した５１枚、其の内の重複する（う，え，い）の何れか１枚を省いた５０枚、又は何れか２枚を省いた４９枚、異なる仮名文字のみの４８枚、異なる仮名文字のみから「ん」を省いた４７枚、現代仮名使いのみ使用の４６枚、（お≒を）として何れか一つを含み異なる発音の４５枚、から成る一組のカード（札）で構成されるカード式闘歌句具でもって、俳句（五，七，五），川柳（五，七，五），甚句（七，七，七，五）、和歌（五，七，五，七，七）の形式で闘歌句を楽しむ事のできる娯楽具を提供する事ができる。
【０００６】  更に、「う゛」の文字札、又は、配布された者が任意の文字として設定又は代替できるジョーカー的機能を有する札を、何れか一枚加えたカード式闘句歌具で以って、依り容易に変化を持たせて楽しめる闘歌句娯楽具を提供する事ができる。
【０００７】  又、五十音索引表（字母表）の全仮名文字に「う゛」の札と、配布された者が任意の文字として設定又は代替できるジョーカー的機能を有する札一枚を加えて総数５３枚とし、一般のトランプ符合と併記してトランプ兼用あるいは併用カード式闘歌句具で以っても、闘歌句娯楽具を提供する事ができる。
【０００８】  札（カード）の大きさや枠の有無は任意とし、表記文字の字体も誤認され無い程度に任意で良く、配置，図柄，着色（白黒、カラー）などは問わない。文字や図柄の記入手段（印刷、彫刻、織り込み等）は問わず、又補助模様が付いていても良い。札の材質も文字等が透けて見え無い程度であれば何を使用しても良い。
【作用】
【０００９】  上記の要素で構成した闘歌句具で、標準的には３〜２名（一人でも可能）が、トランプゲーム風に、其の詳細な競技規則を決めて、一般的には交互に各人の持ち札を配布し、開示する札は其の場に置き、全て置き終えた時点で各自の持ち札の仮名を真名（漢字）混じり歌句に変換し其の優劣を競うもので、歌句への変換は濁点や半濁点を付与したり、促音化，拗音化あるいは歴史的仮名遣いなどを使用する事で、人意情景表現を即妙かつ高尚ならしめることもできるのである。
【００１０】  此れらの基本構成は、五十音索引表（字母表）の全仮名文字を各々個別に表記した「５１枚の全仮名文字礼」と「う゛」札と「ジョーカー機能札」の一群であるが、俳句や川柳（闘句）用、短歌（闘歌）用、甚句（闘甚句）用などの用途に応じて増減の組合わせを行い独立使用する事が出来る柔軟性に富むものである。
札数は闘歌句具の必用用途に応じて、４５（異発音）ないし５１（全仮名文字）枚、更に「う゛」札と「ジョーカー機能札」を加えた５３枚の一群であるが、更に感情表現にアクセントを付けたり、より意味を明確にするために、感嘆符（！）、疑問符（？）、長音符（〜、−等）を重複する（う，え，い）の代りに使用する事も有効である。それなりの枚数増を行なっても良い。また競技のみで無く、各人の知的育成，弼成補助器具として、適宜其の札の配置を変更する事により多様で雅致，画致，我痴，佳致のある文詞を作り、国語知識の吸収に活用し得る機材としても価値有る物となる。成人にも使い勝手の良い娯楽具である。
【実施例】
【００１１】  上述の実施例を図面を参照して説明する。図１（ａ）は、五十音索引表（字母表）の全仮名文字を各々個別に表記した「５１枚の全仮名文字礼」と「う゛」札と「ジョーカー機能札」の一群の、一部を省略して示したカード式闘句歌具の一例である。此れらは図１（ｂ）の如く通常のトランプに重ねて構成すればトランプとしても使用出来る兼用・併用型である。異国人にも解り易いように、図１（ｃ）の如く一部（又は全部）をローマ字表記にしたカード（札）にしても良い。中央の文字は逆向きに対にして、より見易く読み易い形にしても良い。また濁音などの表記を同時に加えても良い。【００１２】  図２に示す様に、五十音索引表（字母表）の全仮名文字を各々個別に表記した「５１枚の全仮名文字札」から成るトランプ風闘句歌具では、通常は３名に夫々１７枚ずつを文字が見え無い様に配り、夫々が配られたカード（札）を（相手に見え無い様にして）随意に並べ替えて俳句や川柳を創作するのである。句題（詩歌の題）や所定の制限時間を設けたり、互いに不用とする札を相手の札と交換出来るルールを加味するなどして楽しむ方法もある。一名分を伏せ札として、麻雀風に自摸（つも）る形式を取れば二名でも楽しめるだろう。創作仮名札を開示し真名（漢字）作句を次の段階（ステップ）とする時間制限も進行策の一つである。【００１３】  甚句（７，７，７，５）の甚句を楽しむ場合は、図４に示すように、「５１枚の全仮名文字札」から成るカード式闘句歌具では、通常２名で競技を行い、夫々２５枚ずつの配り札と１枚の開示札とし、手持ち札と開示札とで甚句を創るのである。開示札の位置を（何文字目と）指定する事で難易度を調整させても良い。
又、甚句の場合は配り札つまり手持札（Ｎ）と開示札（ｎ）との関係を
２Ｎ＋ｎ＝仮名文字札数（＝５１，５０，４８，４６）
とすれば夫々ｎ＝１，２，４，６、Ｎ＝２５，２４，２２，２０となり、上記仮名文字札数で幾種類かの甚句作を楽しむことが出来る。【００１４】  図３は異なる文字札のみ４８枚を用いた場合の闘歌競技を示すもので、競技者Ａと競技者Ｂに夫々１７枚、競技者Ｃには１４枚の配り札とし、競技者Ａと競技者Ｂは上句（５，７，５）を、競技者Ｃは下句（７，７）を創作するのである。此の場合、夫々独立に同時に開示したり、競技者Ｃの創作仮名札を開示した後に競技者Ａ，Ｂが其れに合わせる競技形態にしても良く、競技者Ｃは立会人としての役割でも良い。競技者Ｃの仮名札のみ開示しても競技者Ａ，Ｂの解釈によっては競技者Ｃの意図する下句に隔たりの生じる場合もあるので妙味は尽きない。【００１５】  カード札が４５，４６，４７枚の場合は、各人が追加使用する一文字を指定する事により、楽しむ歌句の構成字数になるようなルールで活用する事が出来る。
競技者Ａ，Ｂ，Ｃは個人でも良いが、群（グループ）分けすれば競技者数を相当まで増加できる。更に群内で細分群を造る事も可能である。此の場合に協議・合意された闘歌句作は類歌句となったり全く別歌句意になったりするであろう。【００１６】  此れらの文字札にジョーカー的機能を持った札を追加する事で、任意の文字の追加札として、あるいは或る仮名札の代りとして変化をもたらす事も出来よう。
【考案の効果】
【００１７】  本考案は以上説明したように構成されているので以下に記載する諸効果を有する。
【００１８】  従来の娯楽器具では得られなかった、人意や感懐あるいは情景を、関与しつつ相互に詩歌句風に表現する事を競い合える、新規で簡便な娯楽を、日常的に身近に提供する事ができる。また古歌句の一部を継受しつつ現代語への変遷を、容易に携帯可能な日常的ゲームで以って楽しむ事ができる。
【００１９】  明確な競技判定基準等を持たず、相互の協議とか諮議、思議や納得に判定基準を置く、変化と柔軟性に富んだ作詩歌句または知的趣味や語学を向上させ、老若其れなりの育成，弼成補助が期待でき、楽しむことができる。ひいては駁説，駁論技術をも意識為ずに身に着ける事も期待出来よう。競技機能を活用しない場合においても、創作学習機能のみを専ら使用することで、感性の扶育，作詩歌句，思索や詩歌作成に有用で、限定された異なる仮名文字を使用するため、特に通常使用しない類語，古典的語いの習得をも大いに助けることができる。
【００２０】  さらにまた、無作為性，偶然性を付与し得ることによって、未知なる語意の習熟や作文構成に対する機転、柔軟性，決断性を培うことができる。
【００２１】  加えて、様様な形態において表現できるので歌句作を其の句歌の中身のみでなく視認できる表現道具としての芸術的価値を高めることもできる。
たとえば、従来のトランプでは様様のゲームを為る事が出来るけれど、言わば其の場限りであるのが普通だが、カード式闘歌句具では、其の歌句作が秀作として文化芸術性を帯びるものとなる可能性もあり、競技者の腹笥を高め示す機会が普段の行為で得られる事ともなる。
【００２２】  トランプは世界共通の娯楽具であるが、此れに日本語の五十音索引表（字母表）の全仮名文字を重ねる（オーバーラップする）事により日本語の仮名文字記憶や認識を助ける事が出来る。また同時に俳句，川柳，甚句，短歌などの既存文化の導入や普及が世界的に廓大される事が期待できる。
【図面の簡単な説明】
【００２３】
【図１】（ａ）カード式闘歌句札組の（一部を省略した）平面図である。（ｂ）トランプ兼用・併用札の平仮名表記図柄例の平面図である。（ｃ）トランプ兼用・併用札のローマ字表記図柄例の平面図である。
【図２】闘句札の分配状態の（一部を省略した）平面配置図である。
【図３】闘歌札の分配状態の（一部を省略した）平面配置図である。
【図４】闘甚句札の分配状態の（一部を省略した）平面配置図である。
【符号の説明】
１  闘歌句札（カード）
２  う゛（ｖｕ）文字表示札
３  ジョーカー機能札
４  トランプ兼用・併用札
５  仮名文字
６  仮名文字表示札
７  ローマ字表示札
【図１】
0003101376.tif 000003
【図２】
0003101376.tif 000004
【図３】
0003101376.tif 000005
【図４】
0003101376.tif 000006